(57)【要約】【課題】ロール紙をスムースに引き出し可能にし、怪我や病気等により片方の手に機能障害がある人でも、簡単、確実に切取り可能にし、また切り取ったときに紙カスがでないようにし、さらに左右どちらの方向にも切り取り可能にすることを課題とする。【解決手段】回動自在に支承したロール紙の一部を引き出して、軸で以て揺動自在になした紙切り板によって切り取るようにしたロールペーパホルダであって、上記紙切り板が、自重によりロール紙を押圧する重量と、先端側に裏面をテーパ状にした屈曲部を有すると共に、この屈曲部の先端にカッター部を備えて成る。【選択図】　図１
2004057211.tif 000002
【特許請求の範囲】
【請求項１】
回動自在に支承したロール紙の一部を引き出して、揺動自在になした紙切り板で以て切り取るようにしたロールペーパホルダであって、上記紙切り板が、自重によりロール紙を押圧し得る重量と、先端側に裏面をテーパ状にした屈曲部を有すると共に、この屈曲部の先端にカッター部を設けたことを特徴とするロールペーパホルダ。
【請求項２】
紙切り板の重量が、少なくとも１００ｇ以上である請求項１に記載のロールペーパホルダ。
【請求項３】
カッター部が、多数本の針を並設した針群刃である請求項１に記載のロールペーパホルダ。
【請求項４】
針群刃において、針の針先ポイントが１ｍｍ以下であり、針頭ピッチが２ｍｍ以下である請求項３に記載のロールペーパホルダ。
【請求項５】
カッター部が、歯先を逆向きになるよう重合した二本の略鋸歯状ワイヤから成る二重刃である請求項１に記載のロールペーパホルダ。
【発明の詳細な説明】
【０００１】
【発明の属する技術分野】
本発明は、ロール状に巻かれたトイレットペーパ、紙ナプキン等のロール紙を回動自在に支承するロールペーパホルダ（以下、単にペーパホルダという）の改良に関する。
【０００２】
【従来の技術】
従来のペーパホルダ１０は、図４に示すように、トイレ・台所等の壁面に取着する固定板１１と、ロール紙Ｒを回動自在に支承して引き出し可能になした側板１２、１２と、ロール紙の上面を覆う紙切り板１３とから成る。
上記紙切り板１３は、後端両側部分を軸Ｓ、Ｓで以て軸着して揺動自在にした本体部１３ａと、この本体部１３ａに円弧を介して連設した彎曲部１３ｂとから成る。
【０００３】
【発明が解決しようとする課題】
従来技術のペーパホルダ１０によるときは、彎曲部１３ｂの先端とロール紙の一端とが一致接触するため、引き出し難く、ロール紙Ｒの下側を押さえて回すと、一端が紙切り板１３の内側部分に巻き込まれて長く垂れ下がることがあった。また、片方の手で紙を切り取るときには、他方の手で紙切り板１３の上部を押さえなければならず、半身麻痺、怪我等によって片方の手に機能障害がある人にとって、ロール紙の切り取り動作は極めて困難であり、特にトイレの使用は苦痛を伴うものであった。
【０００４】
この点に鑑みて、片手でも切り取り可能にしたペーパホルダとして、例えば、紙切り板の軸着部分にバネ等の付勢手段を設けて、この付勢手段で以て紙切り板をロール紙の上部に常時押圧するようにしたものが提案されている。しかし、ロール紙の巻径が使用に伴って小さくなるにつれて、紙切り板の傾斜角度が変化するため、この種構造のものは、ロール紙の引き出しがより一層困難になるだけでなく、片手での切り取りが困難になるという問題があった。
【０００５】
本発明は、ロール紙をスムースに引き出し可能にし、かつ片方の手に機能障害がある人でも片手で簡単、確実に切り取り可能にし、また切り取ったときに紙カスがでないようにし、さらに左右どちらの方向にも容易に切り取り可能にすることを課題とする。
【０００６】
【課題を解決するための手段】
本発明に係るペーパホルダは、回動自在に支承したロール紙の一部を引き出して、揺動自在になした紙切り板で以て切り取るようにしたロールペーパホルダにおいて、上記紙切り板が、自重によりロール紙を押圧し得る重量と、作用側に裏面をテーパ状にした屈曲部を有すると共に、この屈曲部の先端にカッター部を設けて成る（請求項１）。
【０００７】
この手段によるときは、ロール紙が紙切り板の自重によって常時押圧され、また屈曲部の裏面形状によってカッター部とロール紙との間に、ロール紙の巻径が変化しても、隙間が常に形成される。よって、ロール紙を正又は逆いずれの方向に回しても、ロール紙の端片が紙切り板の下側に巻き込まれることなくスムースに出てくる。そして、片手で出た端片を掴んで引き出して斜め上方に持ち上げて引っ張ると、紙の一部がカッター部に引き掛かかり、所要長さの紙片が切り取られる。
【０００８】
本発明において、紙切り板の重量は少なくとも１００ｇ以上である構成（請求項２）が好適である。というのは、１００ｇ未満になると、引き出したロール紙の切り取り動作によって、紙切り板が浮き上がって、紙片の切り取りが困難になる傾向になるからである。
【０００９】
また、カッター部は、多数本の針を並設した針群刃である構成（請求項３）にし、特に針群刃を、針先ポイント１ｍｍ以下の針を針頭ピッチ２ｍｍ以下で並設した構成（請求項４）にするのが好適である。このようにすると、針頭配列が高密度になる。よって、接触による怪我の危険が解消されると共に、所要長さの紙片が紙カスを生ずることなく略真っ直ぐに簡単、確実に切り取られる。
【００１０】
さらに、カッター部は、歯先を逆向きになるよう重合した二本の略鋸歯状ワイヤから成る二重刃である構成（請求項５）にすると、ロール紙の一部を握って左右いずれの方向に引っ張っても、所要長さの紙片が簡単、確実に切り取られる。
【００１１】
【発明の実施の形態】
以下、本発明の一実施の形態を図面に基づいて説明する。
【００１２】
図１に示すように、ペーパホルダＨは、トイレの壁面にネジ等で取着される固定板１と、ロール紙Ｒを回動自在に支承可能になした側板２、２と、側板２、２の後部上方に軸Ｓ、Ｓで以て揺動自在に設けた紙切り板３とから成る。なお、ロール紙Ｒの支承は、側板２、２の先端内側に上下揺動可能なブラケットを設けて紙芯内に挿・脱する構造にしたが、ロール紙の種類に応じて、側板の内側に凹部設け、この凹部内にロール紙に挿入する支承軸を係脱着する構造等公知の構造を採用することができる。
【００１３】
上記紙切り板３は、本体部３ａと、この本体部３ａに連続して略くの字状に屈曲した屈曲部３ｂと、この屈曲部３ｂの先端に設けたカッター部４とから成る。紙切り板３の裏面は、本体部３ａの平面と屈曲部３ｂのテーパ面とを鈍角を介して連設した形状にして、使用に伴うロール紙Ｒの巻径の変化に関係なく、屈曲部３ｂの先端とロール紙Ｒとの間に常に隙間を有するようにして成る。
【００１４】
上記カッター部４は、図２に示すように、多数本の針５を密着して並設した一列の針群刃で構成し、針頭部分を屈曲部３ｂの先端から突出するようにして固着して成る。この場合、針群刃は、図２（ｂ）に示すように、針先ポイントａが１ｍｍ以下である針５を、針頭ピッチｂが２ｍｍ以下になるように並設した構成にすると、紙カスの発生や怪我の危険を解消し、切取り容易性、確実性を向上することができる。
【００１５】
上記実施の形態において、カッター部４を構成する針群刃は、多数本の針を並べて埋設したが、紡績のカード用針布を用いることができる。また、上記針５は直針を示したが、その形状としては先端が下方に屈曲した曲針でもよい。材質としては、防錆性、強度（剛性）を備えたものが好適である。さらに、針先の断面形状としては、円形、正方形、矩形等任意の形状のものを用いることができる。
【００１６】
図３に示す実施の形態では、カッター部４を、歯先部６ｂ、７ｂの歯先が各谷部に位置して逆向きになるように重合した二枚の鋸歯状ワイヤ６、７から成る二重刃で形成している。すなわち、このカッター部４を構成する二重刃は、同一形状に成形した鋸歯状ワイヤ６、７の背面同士をスポット溶接、圧着、接着剤等で以て接合して、紙切り板３の屈曲部３ｂに縁部６ａ、７ａを埋設して固着したものである。
【００１７】
この実施の形態によるときは、針群刃に比較して材料及び製作コスト面で有利になり、また屈曲部への取付性が格段に向上し、さらにロール紙の紙質や厚み等に応じて歯先部の形状を変更することができるという利点がある。また、鋸歯状ワイヤとしては、紡績用のメタリックワイヤを用いると好適である。
【００１８】
【発明の効果】
本発明によるときは、ロール紙が紙切り板の自重によって常時押圧されており、かつ使用に伴ってロール紙の巻径が変化しても、カッター部とロール紙との間に隙間が形成されるから、ロール紙を正又は逆に回すとその一端が出てきて、片手で以て、ロール紙の引き出しと切り取る動作を簡単かつ確実に行うことができる。
また、カッター部を、多数本の針による針群刃の構成にすると、紙カスを生じることなくスムースに紙片を切り取ることができ、また鋸歯状ワイヤによる二重刃の構成にすると、左右いずれの方向にも紙片を切り取ることができる。
本発明品は、種々のロール紙のホルダとして使用することができるが、特に身障者や要介護者用のトイレに使用すると便利であるという効果がある。
【図面の簡単な説明】
【図１】本発明の一実施の形態を示す側面図である。
【図２】紙切り板を示し、（ａ）は平面図、（ｂ）は要部拡大平面図である。
【図３】カッター部の異なる実施の形態を示し、（ａ）は拡大平面図、（ｂ）は断面図である。
【図４】従来のロールペーパホルダの側面図である。
【符号の説明】
Ｈ・・・ペーパホルダ
Ｒ・・・ロール紙
Ｓ・・・軸
ａ・・・針先ポイント
ｂ・・・針頭ピッチ
１・・・固定板
２・・・側板
３・・・紙切り板
３ａ・・本体
３ｂ・・先端屈曲部
４・・・カッター部
５・・・針
６，７・・鋸歯状ワイヤ
６ａ，７ａ・・縁部
６ｂ，７ｂ・・歯先部
【図１】
2004057211.tif 000003
【図２】
2004057211.tif 000004
【図３】
2004057211.tif 000005
【図４】
2004057211.tif 000006